(57)【要約】【課題】明るさが急激に変化することが抑制され、表示装置の制御部における演算処理を軽減し、信号出力装置の制御部によるリアルタイムの調光処理が実現される映像信号処理装置、及び映像信号処理方法を提供する。【解決手段】映像信号処理装置１は、バックライト３７の輝度を制御するためのＭ−デューティ値を出力する第１制御部３１を有する表示装置３と、前記輝度を制御するためのＳ−デューティ値を第１制御部３１へ出力する第２制御部２５を有するＳＴＢ２とを備える。初めは、第１制御部３１がＭ−デューティ値に基づき前記輝度を制御する。第１制御部３１は、Ｍ−デューティ値を段階的に下げる。第１制御部３１はＭ−デューティ値とＳ−デューティ値との差分が所定値以下であると判定した場合、第２制御部２５により前記輝度を制御するように、切換器３４をＳＴＢ２へ接続する。【選択図】図１
2009276617.tif 000002
【特許請求の範囲】
【請求項１】
バックライト、及び該バックライトの輝度を制御する第１輝度制御値を出力する第１制御部を有し、映像を表示する表示装置と、
入力された情報に基づき前記輝度を制御するための第２輝度制御値を得、該第２輝度制御値を含む信号を前記第１制御部へ出力する第２制御部を有する信号出力装置と
を備え、
前記輝度は、前記第１制御部及び第２制御部のいずれかにより制御されるように構成されている映像信号処理装置において、
初めは、前記第１輝度制御値に基づき、前記輝度を制御するように構成されており、
前記第１制御部は、
前記第１輝度制御値と前記第２輝度制御値との差分を算出する手段と、
該手段により算出した差分が所定値以下であるか否かを判定する第１判定手段と、
該第１判定手段により前記差分が所定値以下であると判定した場合に、前記第２制御部による制御に切り換える手段と
を備えることを特徴とする映像信号処理装置。
【請求項２】
前記第１制御部は、
前記第１判定手段により前記差分が所定値を超えていると判定した場合に、前記第１輝度制御値から第１ステップ値を減じた値を第１輝度制御値とする手段を備える請求項１に記載の映像信号処理装置。
【請求項３】
前記第２制御部は、
前記輝度の制御を行う場合に、第２輝度制御値が、次に演算した第２輝度制御値より大きいか否かを判定する第２判定手段と、
該第２判定手段により第２輝度制御値が、次に演算した第２輝度制御値より大きいと判定した場合に、前記輝度制御値から第２ステップ値を減じた値を第２輝度制御値とする手段と、
前記第２判定手段により第２輝度制御値が、次に演算した第２輝度制御値より小さいと判定した場合に、前記第２輝度制御値に前記第２ステップ値を加えた値を第２輝度制御値とする手段と
を備える請求項１又は２に記載の映像信号処理装置。
【請求項４】
前記第１ステップ値は前記第２ステップ値より大きい請求項３に記載の映像信号処理装置。
【請求項５】
バックライトの輝度を制御するための第１輝度制御値を出力する第１制御部を有する表示装置と、入力された情報に基づき前記輝度を制御するための第２輝度制御値を演算して出力する第２制御部を有する信号出力装置とを備える映像信号処理装置を用い、前記第２輝度制御値に基づき、前記輝度を制御する制御ステップを有する映像信号処理方法において、
前記第１輝度制御値に基づき前記輝度を制御するステップと、
前記第１輝度制御値と前記第２輝度制御値との差分を算出するステップと、
該手段により算出した差分が所定値以下であるか否かを判定する判定ステップと
を有し、
該判定ステップにより前記差分が所定値以下であると判定した場合に、前記制御ステップに移行し、
前記判定ステップにより前記差分が所定値を超えていると判定した場合に、前記第１輝度制御値から第１ステップ値を減じて第１輝度制御値とするステップ
を有することを特徴とする映像信号処理方法。
【発明の詳細な説明】
【技術分野】
【０００１】
本発明は、映像を表示する表示装置と、該表示装置に接続自在に構成され、チューナ等を含む信号出力装置とを有する映像信号処理装置、及び映像信号処理方法に関する。
【背景技術】
【０００２】
近年、液晶表示部（液晶パネル）及びバックライトを有し、映像を表示する表示装置と、該表示装置に着脱自在に接続され、外部からテレビジョン信号等を受信するためのチューナ等を含むＳＴＢ（セット・トップ・ボックス）とを有する映像信号処理装置がよく使用されている。さらに、近年、前記表示装置の薄型化が求められるようになり、該表示装置の筐体には映像の表示に最低限の機能のみを搭載し、他の機能は前記ＳＴＢに搭載することが求められようになりつつある。このようなケースにおいては調光制御の演算も前記ＳＴＢ側で行われる場合がある。
【０００３】
前記バックライトの輝度を制御して映像の調光を制御するために、バックライトが備える冷陰極管に電力を与えるインバータに対し、ＰＷＭ（パルス幅変調）信号によりデューティ制御を行うことがよくなされているが、前記表示装置の制御部が調光制御をする場合であって、調光（輝度）制御値を演算する制御部が前記ＳＴＢ側にある場合、前記調光制御値をＳＴＢから表示装置に通知する必要がある。
【０００４】
しかし、現時点において表示装置側で設定され、インバータ側に出力されている調光制御値と、ＳＴＢ側で演算された調光制御値とが大きく異なる場合、明るさが急激に変化することになり、視聴映像がちらつくという問題がある。
【０００５】
特許文献１には、表示装置として液晶表示装置、及びＰＤＰ（プラズマ・ディスプレイ・パネル）等の他のデバイスのいずれであっても接続可能なＳＴＢを用い、該ＳＴＢに接続された表示装置に対応して、バックライトの駆動を行うか否かを使い分けるように構成された表示システムの発明が開示されている。
【特許文献１】特許第４０１６９１５号公報
【発明の開示】
【発明が解決しようとする課題】
【０００６】
近年、表示装置のさらなる薄型化が要求されており、表示装置側には、表示装置の動作に必要な最小限の回路のみを残し、回路基板を小型化させるようにした映像信号処理装置が提案されている。
また、特許文献１の表示システムにおいては、ＳＴＢから調光制御信号を表示装置に送るように構成されているが、表示装置のマイコンが前記調光制御信号を受けて、表示装置に内蔵されるバックライト制御回路を制御し、表示装置において急激な調光設定の変化が生じないように演算している。従って、表示装置のマイコンによる演算処理が介在するため、マイコンでの演算による遅延が生じ、調光のリアルタイム性が失われる。特に、アクティブ・バックライト制御のように映像に連動したリアルタイムのバックライト制御を必要とするシステムには適さないという問題がある。
【０００７】
本発明は、斯かる事情に鑑みてなされたものであり、表示装置の輝度制御値と信号出力装置の輝度制御値との差分が所定値以下となった時点で、信号出力装置の制御部がバックライトの輝度を直接制御するように構成することにより、明るさが急激に変化することが抑制され、表示装置の制御部における演算処理を不要として、リアルタイムの調光処理が実現され、表示装置の薄型化が図られる映像信号処理装置、及び映像信号処理方法を提供することを目的とする。
【課題を解決するための手段】
【０００８】
本発明に係る映像信号処理装置は、バックライト、及び該バックライトの輝度を制御する第１輝度制御値を出力する第１制御部を有し、映像を表示する表示装置と、入力された情報に基づき前記輝度を制御するための第２輝度制御値を得、該第２輝度制御値を含む信号を前記第１制御部へ出力する第２制御部を有する信号出力装置とを備え、前記輝度は、前記第１制御部及び第２制御部のいずれかにより制御されるように構成されている映像信号処理装置において、初めは、前記第１輝度制御値に基づき、前記輝度を制御するように構成されており、前記第１制御部は、前記第１輝度制御値と前記第２輝度制御値との差分を算出する手段と、該手段により算出した差分が所定値以下であるか否かを判定する第１判定手段と、該第１判定手段により前記差分が所定値以下であると判定した場合に、前記第２制御部による制御に切り換える手段とを備えることを特徴とする。
【０００９】
本発明に係る映像信号処理装置は、前記第１制御部は、前記第１判定手段により前記差分が所定値を超えていると判定した場合に、前記第１輝度制御値から第１ステップ値を減じた値を第１輝度制御値とする手段を備えることを特徴とする。
【００１０】
本発明に係る映像信号処理装置は、前記第２制御部は、前記輝度の制御を行う場合に、第２輝度制御値が、次に演算した第２輝度制御値より大きいか否かを判定する第２判定手段と、該第２判定手段により第２輝度制御値が、次に演算した第２輝度制御値より大きいと判定した場合に、前記輝度制御値から第２ステップ値を減じた値を第２輝度制御値とする手段と、前記第２判定手段により第２輝度制御値が、次に演算した第２輝度制御値より小さいと判定した場合に、前記第２輝度制御値に前記第２ステップ値を加えた値を第２輝度制御値とする手段とを備えることを特徴とする。
【００１１】
本発明に係る映像信号処理装置は、前記第１ステップ値は前記第２ステップ値より大きいことを特徴とする。
【００１２】
本発明に係る映像信号処理方法は、バックライトの輝度を制御するための第１輝度制御値を出力する第１制御部を有する表示装置と、入力された情報に基づき前記輝度を制御するための第２輝度制御値を演算して出力する第２制御部を有する信号出力装置とを備える映像信号処理装置を用い、前記第２輝度制御値に基づき、前記輝度を制御する制御ステップを有する映像信号処理方法において、前記第１輝度制御値に基づき前記輝度を制御するステップと、前記第１輝度制御値と前記第２輝度制御値との差分を算出するステップと、該手段により算出した差分が所定値以下であるか否かを判定する判定ステップとを有し、該判定ステップにより前記差分が所定値以下であると判定した場合に、前記制御ステップに移行し、前記判定ステップにより前記差分が所定値を超えていると判定した場合に、前記第１輝度制御値から第１ステップ値を減じて第１輝度制御値とするステップを有することを特徴とする。
【００１３】
本発明においては、初めは、表示装置の第１制御部が出力する輝度制御値によりバックライトの輝度を制御し、第１制御部が出力する輝度制御値と、第２制御部が出力する輝度制御値との差分が所定値以下となった時点で、第１制御部を介さずに第２制御部が直接、バックライトの輝度を制御する、すなわち、第１制御部側が第２制御部側に自動追従するので、第１制御部における演算処理が減じ、リアルタイムの調光処理を実現することができる。そして、明るさが急激に変化することが抑制されている。
【発明の効果】
【００１４】
本発明によれば、表示装置の第１制御部における演算処理が減じ、第２制御部によるリアルタイムの調光処理が実現されるとともに、表示装置の薄型化が実現される。
また、前記差分が所定値以下になった時点で、第２制御部による直接制御を行うので、明るさが急激に変化することが抑制され、視聴映像がちらつくことが抑制されている。
【発明を実施するための最良の形態】
【００１５】
以下、本発明をその実施の形態を示す図面に基づき具体的に説明する。
図１は、本発明の実施の形態に係る映像信号処理装置１の構成を示すブロック図である。
映像信号処理装置１は、ＳＴＢ２と、表示装置３とを着脱自在にＨＤＭＩ（ハイ−デフィニション・マルチメディア・インターフェイス）接続してなる。
ＳＴＢ２は、チューナ２１、信号処理部２２、ＨＤＭＩ信号送信部２３、第２制御部２５、及び不揮発メモリ２６を備えている。ＳＴＢ２は、テレビジョン放送信号を録画するためのＨＤＤ（ハード・ディスク・ドライブ）、又はＤＶＤ（デジタル・ヴァーサタイル・ディスク）プレーヤ／レコーダを備えていてもよく、ビデオ信号、コンポーネント信号を入力するように構成されていてもよい。
【００１６】
チューナ２１は、外部からテレビジョン放送信号を受信し、アナログ映像信号を信号処理部２２へ出力する。チューナ２１は、デジタルテレビジョン放送信号を受信した場合は、アナログ映像信号に復調した上で、該アナログ映像信号を信号処理部２２へ出力する。信号処理部２２は、Ａ／Ｄ変換、フォーマット変換、色補正、ＲＧＢ変換、ガンマ補正等の信号処理を行い、処理した映像信号をＨＤＭＩ信号送信部２３へ出力する。
第２制御部２５は、後述する第１制御部３１から受信したリモコン信号に対応した所定の動作を行う。ユーザが後述するバックライト３７の輝度に係る設定（画面の明るさの設定）をリモートコントロールユニット（図示せず）により行った場合、第２制御部２５は、これをユーザ設定調光情報として、不揮発メモリ２６に記憶させる。
【００１７】
第２制御部２５は、前記ユーザ設定調光情報、図示しないＯＰＣ（周囲照度センサ）が検知した周囲照度の情報、並びに映像連動情報（映像信号１フレーム当たりの平均輝度、輝度の最大値及び最小値の検出情報等）のうちの少なくとも１つの情報に基づき、後述するインバータ３６をデューティ制御するための調光（輝度）制御値（第２輝度制御値：以下、Ｓ−デューティ値という）を演算し、該Ｓ−デューティ値を制御情報としてＨＤＭＩ信号送信部２３へ出力する。デューティ値は、オン  デューティ値（％）である。映像連動情報に基づき求めたＳ−デューティ値により行う調光制御を特にアクティブ調光制御という。
ＨＤＭＩ信号送信部２３は、映像信号、及び第２制御部２５から入力した制御信号を表示装置３のＨＤＭＩ信号受信部３２へ出力する。ここで、映像の各フレームのヘッダに、Ｓ−デューティ値が与えられている。
【００１８】
表示装置３は、第１制御部３１、ＨＤＭＩ信号受信部３２、パケットデータ受信部３３、切換器３４、ＰＷＭ信号生成部３５、インバータ３６、バックライト３７、液晶表示部３８、及びリモコン信号受信部４０を備えている。
ＨＤＭＩ信号受信部３２が入力した映像信号は、パケットデータ受信部３３を介して第１制御部３１へ出力され、第１制御部３１に制御された状態で、前記映像信号に基づく映像が液晶表示部３８において形成される。
バックライト３７は、前記液晶表示部３８の背面から光を照射する。バックライト３７が内蔵する冷陰極管（図示せず）には、インバータ３６により電力が与えられる。バックライト３７は、第１制御部３１によりインバータ３６を介して制御される。インバータ３６は、ＰＷＭ信号生成部３５により生成されたＰＷＭ信号によりデューティ制御される。
【００１９】
ＨＤＭＩ信号受信部３２が前記ＨＤＭＩ信号送信部２３から入力した制御信号は、パケットデータ受信部３３を介して切換器３４へ出力される。切換器３４へは、第１制御部３１から輝度制御値（第１輝度制御値：以下、Ｍ−デューティ値という）も出力され、切換器３４により、Ｓ−デューティ値及びＭ−デューティ値のうちのいずれかのデューティ値が前記ＰＷＭ信号生成部３５へ出力され、ＰＷＭ信号生成部３５は、入力したデューティ値に基づきＰＷＭ信号を生成して、インバータ３６へ出力する。
第１制御部３１と第２制御部２５とは、ＣＥＣ信号により双方向に通信できるように構成されている。
リモコン信号受信部４０は、前記リモートコントロールユニットからリモコン信号を受信する。リモコン信号は第１制御部３１へ出力され、第１制御部３１は、リモコン信号をＣＥＣにより第２制御部２５へ送信する。
【００２０】
以下に、本実施の形態の映像信号処理方法に係る調光制御について詳細に説明する。
表示装置３の電源がオンになり、ＳＴＢ２との接続が認証できなかった場合、調光制御は第１制御部３１が行う（第１輝度制御）。このとき、Ｍ−デューティ値として１００（％）の値が切換器３４へ出力され、該Ｍ−デューティ値に基づくＰＷＭ信号がインバータ３６へ出力され、バックライト３７の発光強度を最大にするマックス調光制御が行われる。
表示装置３とＳＴＢ２とが接続され、後述の方法により第２制御部２５による第２輝度制御に切り換えられ、例えば映像に連動して第２制御部２５が出力するＳ−デューティ値に基づき、逐次、バックライト３７の輝度が制御されるアクティブ調光制御により調光制御が行われている場合に、ＳＴＢ２の電源がオフされたとき、又は表示装置３とＳＴＢ２との接続が切断されたとき、第１制御部３１はこれを検知して、第１制御部３１による第１輝度制御に移行する。このとき、第１制御部３１はマックス調光制御を行う。
いずれの場合も、マックス調光制御値がホールドされる。
また、前記第２輝度制御がなされていた場合に、第２制御部２５から第１制御部３１へ映像オフの指示がされたとき、第１制御部３１による第１輝度制御に移行する。
表示装置３単体での明るさは、マックス調光ではなく、任意の明るさに設定することができる。
【００２１】
図２は、バックライト３７をオンする場合、表示装置３とＳＴＢ２との接続が切断された後、再度接続された場合、及び映像オフの指示がされた後、再度映像オンの指示がされた場合の第１制御部３１の処理手順を示すフローチャート、図３は、第２制御部２５の処理手順を示すフローチャート、図４は、調光制御を説明するためのグラフである。図４において、横軸は時間、縦軸はＳＴＢ２及び表示装置３が出力するデューティ値を示すが、実線のグラフはデューティ値が切換器３４を介してＰＷＭ信号生成部３５へ出力されていることを示し、破線のグラフはデューティ値がＰＷＭ信号生成部３５へは出力されていないことを示す。
【００２２】
第１制御部３１は、切換器３４を第１制御部３１に接続し（Ｓ１）、Ｍ−デューティ値を切換器３４へ出力する（Ｓ２）。第１制御部３１は、Ｍ−デューティ値として１００％の値を出力し、前記マックス調光制御が行われる。
次に、第１制御部３１は、バックライトオン制御信号を出力し、バックライト３７を点灯させる（Ｓ３）。
【００２３】
第１制御部３１は、ＳＴＢ２と表示装置３とが接続されており、第２制御部２５が演算して出力するＳ−デューティ値を取得したか否かを判定する（Ｓ４）。例えば、第１制御部３１が１６ｍ秒毎にＳ−デューティ値を取得するように構成されている場合、１６ｍ秒毎に、この判定を行う。第１制御部３１は、Ｓ−デューティ値を取得していないと判定した場合（Ｓ４：ＮＯ）、Ｓ−デューティ値を取得するまで待機する。
【００２４】
第１制御部３１は、Ｓ−デューティ値を取得したと判定した場合（Ｓ４：ＹＥＳ）、前記Ｍ−デューティ値と、取得したＳ−デューティ値との差分（デューティ値差分）を算出する（Ｓ５）。このとき、第２制御部２５が出力するＳ−デューティ値は切換器３４へも出力されているが、切換器３４が第１制御部３１側に接続されているので、ＰＷＭ信号生成部３５へは出力されていない（図４の時点Ｔ1 ）。
【００２５】
次に、第１制御部３１は、メモリ（図示せず）に記憶されている切換可能値を読み出し、前記デューティ値差分の絶対値が該切換可能値以下であるか否かを判定する（Ｓ６：第１判定手段）。切換可能値として、後述する第１ステップ値と第２ステップ値との差を設定することができ、例えば７が挙げられる。
【００２６】
第１制御部３１は、デューティ値差分の絶対値が前記切換可能値を超えていると判定した場合（Ｓ６：ＮＯ）、メモリ（図示せず）に記憶されている第１ステップ値を読み出し、現在のＭ−デューティ値から該第１ステップ値を減じた値をＭ−デューティ値とし（Ｓ７）、処理をステップＳ２へ戻す。ここで、第１ステップ値は、１回で変えることができるデューティ値の量であり、例えば１４が挙げられる。後述するように、前記デューティ値差分の絶対値が切換可能値以下になった時点で第２制御部２５による第２輝度制御に移行するが、これを迅速に行うために、Ｍ−デューティ値を最大値の１００％から下げる。
【００２７】
第１制御部３１は、デューティ値差分の絶対値が切換可能値以下であると判定した場合（Ｓ６：ＹＥＳ）、切換器３４をＳＴＢ２に接続し（Ｓ８：第２制御部２５による制御に切り換える手段）、ＳＴＢ２の第２制御部２５による第２輝度制御に切り換え（図４の時点Ｔ2 ）、処理を終了する。
【００２８】
一方、第２制御部２５は、前記映像連動情報に基づき、目標デューティ値を算出する（Ｓ２１）。
【００２９】
そして、第２制御部２５は、現時点のＳ−デューティ値が目標デューティ値以上であるか否かを判定する（Ｓ２３：第２判定手段）。
第２制御部２５は、現時点のＳ−デューティ値が目標デューティ値未満であると判定した場合（Ｓ２３：ＮＯ）、Ｓ−デューティ値に第２ステップ値を加えた値をＳ−デューティ値とし（Ｓ２７）、該Ｓ−デューティ値を出力する（Ｓ２８）。
【００３０】
第２制御部２５は、現時点のＳ−デューティ値が目標デューティ値以上であると判定した場合（Ｓ２３：ＹＥＳ）、Ｓ−デューティ値が目標デューティ値と等しいか否かを判定する（Ｓ２４）。
Ｓ−デューティ値が目標デューティ値と等しいと判定した場合（Ｓ２４：ＹＥＳ）、Ｓ−デューティ値を目標のＳ−デューティ値とし（Ｓ２５）、該Ｓ−デューティ値を出力する（Ｓ２８）。
Ｓ−デューティ値と目標デューティ値とが等しくない、すなわちＳ−デューティ値が目標デューティ値より大きいと判定した場合（Ｓ２４：ＮＯ）、Ｓ−デューティ値から第２ステップ値を減じた値をＳ−デューティ値とし（Ｓ２６）、該Ｓ−デューティ値を出力する（Ｓ２８）。
【００３１】
ここで、第２ステップ値は、１回で変えることができるデューティ値の量であり、例えば７が挙げられる。ステップＳ２１で算出した目標デューティ値をそのままＳ−デューティ値とし、ステップＳ２８において該Ｓ−デューティ値を出力してもよいが、デューティ値が急激に変化する場合があり、これを防止するためにＳ−デューティ値を段階的に変化させることにしている。
【００３２】
切換器３４が第１制御部３１側に接続されている場合、Ｓ−デューティ値はＰＷＭ信号生成部３５へは出力されない。第１制御部３１が上述したステップ６において切換可能と判定し、切換器３４が第２制御部２５側へ接続された場合に、Ｓ−デューティ値はＰＷＭ信号生成部３５へ出力され、該Ｓ−デューティ値に基づきインバータ３６がデューティー制御され、バックライト３７の輝度がアクティブ調光制御される。
【００３３】
本実施の形態においては、切換器３４が第１制御部３１側に接続されている場合に、図４に示すように、Ｍ−デューティ値を１４ステップずつ、段階的に下げ、Ｓ−デューティ値が７ステップずつ、段階的に上がっているので、迅速にＭ−デューティ値とＳ−デューティ値との差分を小さくして、アクティブ調光に移行することができる。Ｍ−デューティ値は最初、１００％と大きく設定しているので、Ｍ−デューティ値の変化量は、Ｓ−デューティ値の変化量より大きくしている。
本実施の形態においては、第２輝度制御に移行した後は、第１制御部３１における調光制御のための演算処理が不要であり、第２制御部２５の演算処理に基づく調光制御がリアルタイムに実現される。従って、特許文献１等の従来の映像信号処理装置のように、ＳＴＢが出力する調光制御信号を受けて、表示装置の制御部が、表示装置において急激な調光設定の変化が生じないように演算する必要がなく、第１制御部３１は小型化することができ、表示装置３の薄型化が実現される。
そして、最初に第１制御部３１が出力するＭ−デューティ値がＳ−デューティ値と略一致するようになった時点で、第２制御部２５による直接制御に切り換えるので、画面の明るさが急激に変化することが抑制され、視聴映像がちらつくことが抑制されている。
【００３４】
なお、本実施の形態においては、最初に第１制御部３１によりマックス調光を行う場合につき説明しているがこれに限定されるものではなく、第１制御部３１がＭ−デューティ値を、バックライト３７の発光強度の最低設定値（例えば略２０％）に設定するミニマム調光を行うことにしてもよい。この場合も、Ｍ−デューティ値とＳ−デューティ値との差分の絶対値が所定値以下になったときに、第２制御部２５による第２輝度制御に移行する。この場合、Ｍ−デューティ値に段階的に所定値を加算する。例えば、図２のフローチャートのステップＳ７において、現在のＭ−デューティ値に第１ステップ値を加算した値をＭ−デューティ値とする。
【００３５】
また、本実施の形態においては、デューティ値としてオン  デューティ値を用いた場合につき説明しているが、オフ  デューティ値を用いることにしてもよい。
そして、第２制御部２５は、映像連動情報に基づきＳ−デューティ値を算出する場合につき説明しているがこれに限定されるものではなく、ユーザ設定調光情報、ＯＰＣが検知した周囲照度の情報、及び映像連動情報等の情報のうちの少なくとも１つの情報に基づき、算出すればよい。
さらに、前記実施の形態においては、ＳＴＢ２と表示装置３とがＨＤＭＩ接続される場合につき説明しているがこれに限定されるものではなく、他のマルチメディアインタフェースにより接続することにしてもよい。
【図面の簡単な説明】
【００３６】
【図１】本発明の実施の形態に係る映像信号処理装置の構成を示すブロック図である。
【図２】本発明の実施の形態に係る第１制御部の処理手順を示すフローチャートである。
【図３】本発明の実施の形態に係る第２制御部の処理手順を示すフローチャートである。
【図４】本発明の実施の形態に係る調光制御を説明するためのグラフである。
【符号の説明】
【００３７】
１  映像信号処理装置
２  ＳＴＢ
２１  チューナ
２２  信号処理部
２３  ＨＤＭＩ信号送信部
２５  第２制御部
２６  不揮発メモリ
３  表示装置
３１  第１制御部
３２  ＨＤＭＩ信号受信部
３３  パケットデータ受信部
３４  切換器
３５  ＰＷＭ信号生成部
３６  インバータ
３７  バックライト
３８  液晶表示部
４０  リモコン信号受信部
【図１】
2009276617.tif 000003
【図２】
2009276617.tif 000004
【図３】
2009276617.tif 000005
【図４】
2009276617.tif 000006